(57)【特許請求の範囲】
【請求項１】
自動車に搭載され、装着されたビデオディスクを再生する車載ビデオ再生装置であって、
無線通信を介してＷＡＮに接続するＷＡＮ接続部と、
当該車載ビデオ再生装置が再生中の前記ビデオディスクに記録された再生制御情報に従って、前記ＷＡＮ上のコンテンツを、当該ビデオディスクに記録されたコンテンツと共に再生する再生部とを有し、
当該再生部は、
前記ビデオディスクの装着時に、当該装着されたビデオディスクに記録された前記再生制御情報に従って前記ビデオディスクの再生時に前記再生部によって再生されることのある前記ＷＡＮ上のコンテンツを登録したリストを作成するＷＡＮ上コンテンツリスト作成部と、
当該車載ビデオ再生装置が前記ビデオディスクを再生中であるか否かに関わらずに、前記ＷＡＮ接続部が前記ＷＡＮに接続可能な期間に、当該ＷＡＮに接続して、前記リストに登録されている前記ＷＡＮ上の各コンテンツを、順次ダウンロードして保存するダウンロード処理部を有し、
当該再生部は、当該車載ビデオ再生装置が再生中の前記ビデオディスクに記録された再生制御情報に従って再生対象となった前記ＷＡＮ上のコンテンツが前記ダウンロード処理部によって既にダウンロードされ保存されている場合には、当該保存されているコンテンツを再生することを特徴とする車載ビデオ再生装置。
【請求項２】
請求項１記載の車載ビデオ再生装置であって、
前記ダウンロード処理部は、前記リストに登録されている前記ＷＡＮ上のコンテンツのうち、前記再生制御情報によって定義される当該コンテンツの再生のための処理の開始タイミングがより早いものを、より先行してダウンロードすることを特徴とする車載ビデオ再生装置。
【請求項３】
請求項２記載の車載ビデオ再生装置であって、
前記ダウンロード処理部は、前記リストに登録されている前記ＷＡＮ上のコンテンツであって、前記再生制御情報によって定義される当該コンテンツの再生のための処理の開始タイミングが同じコンテンツについては、コンテンツのサイズがより小さいものを、より先行してダウンロードすることを特徴とする車載ビデオ再生装置。
【請求項４】
請求項１記載の車載ビデオ再生装置であって、
前記ダウンロード処理部は、前記ＷＡＮ接続部が前記ＷＡＮに接続可能な期間に、保存していない前記ＷＡＮ上のコンテンツの、前記再生制御情報によって定義される当該コンテンツの再生のための処理の開始タイミングが到来した場合には、当該再生のための処理の開始タイミングが到来した前記ＷＡＮ上のコンテンツを、再生のための処理の開始タイミングが到来していない他の前記ＷＡＮ上のコンテンツに優先してダウンロードして保存することを特徴とする車載ビデオ再生装置。
【請求項５】
請求項１記載の車載ビデオ再生装置であって、
前記ビデオディスクは、HD DVD-Video規格に従ってビデオコンテンツを記憶したHD DVD、または、BDMV規格に従ってビデオコンテンツを記憶したBlu-ray Discであることを特徴とする車載ビデオ再生装置。
【請求項６】
自動車に搭載され、装着されたビデオディスクを再生する車載ビデオ再生装置と、固定設置された、ＷＡＮに接続可能なコンテンツ代理取得装置とを備えたビデオ再生システムであって、
前記車載ビデオ再生装置は、
近距離無線通信を介して前記コンテンツ代理取得装置に接続する近距離無線通信部と、
当該車載ビデオ再生装置が再生中の前記ビデオディスクに記録された再生制御情報に従って、前記ＷＡＮ上のコンテンツを、当該ビデオディスクに記録されたコンテンツと共に再生する再生部とを有し、
当該再生部は、
前記ビデオディスクの装着時に、当該装着されたビデオディスクに記録された前記再生制御情報に従って前記ビデオディスクの再生時に前記再生部によって再生されることのある前記ＷＡＮ上のコンテンツを登録したリストを作成するＷＡＮ上コンテンツリスト作成部と、
前記近距離無線通信部が前記コンテンツ代理取得装置に接続可能な期間に、当該コンテンツ代理取得装置に接続し、前記リストを伴う前記ＷＡＮ上のコンテンツの代理取得要求を前記コンテンツ代理取得装置に送信する代理取得依頼部と、
前記近距離無線通信部が前記コンテンツ代理取得装置に接続可能な期間に、当該コンテンツ代理取得装置に接続し、前記コンテンツ代理取得装置から、当該コンテンツ代理取得装置が取得した前記ＷＡＮ上のコンテンツの転送を受けて保存するコンテンツ保存部とを有し、
前記コンテンツ代理取得装置は、
接続した前記車載ビデオ再生装置から受信した代理取得要求に伴うリストに登録されている前記ＷＡＮ上のコンテンツを順次ダウンロードして保存する代理取得部と、
接続した前記車載ビデオ再生装置に、前記代理取得部が保存しているコンテンツを転送するコンテンツ転送部とを有し、
前記車載ビデオ再生装置の前記再生部は、当該車載ビデオ再生装置が再生中の前記ビデオディスクに記録された再生制御情報に従って再生対象となった前記ＷＡＮ上のコンテンツが前記コンテンツ保存部によって保存されている場合には、当該保存されているコンテンツを再生することを特徴とするビデオ再生システム。
【請求項７】
請求項６記載のビデオ再生システムであって、
前記コンテンツ代理取得装置の前記コンテンツ転送部は、接続した前記車載ビデオ再生装置に、前記代理取得部が保存しているコンテンツを、前記車載ビデオ装置における再生に適した再生レートのコンテンツにレート変換した上で転送することを特徴とするビデオ再生システム。
【請求項８】
請求項６記載のビデオ再生システムであって、
前記車載ビデオ再生装置は、
無線通信を介してＷＡＮに接続するＷＡＮ接続部を有し、
当該車載ビデオ再生装置の再生部は、
当該車載ビデオ再生装置が前記ビデオディスクを再生中であるか否かに関わらずに、前記ＷＡＮ接続部が前記ＷＡＮに接続可能な期間に、当該ＷＡＮに接続して、前記リストに登録されている前記ＷＡＮ上の各コンテンツを、順次ダウンロードして保存するダウンロード処理部を有し、
当該再生部は、当該車載ビデオ再生装置が再生中の前記ビデオディスクに記録された再生制御情報に従って再生対象となった前記ＷＡＮ上のコンテンツが前記ダウンロード処理部によって既にダウンロードされ保存されているか、前記コンテンツ保存部によって既に保存されている場合には、当該保存されているコンテンツを再生することを特徴とする車載ビデオ再生システム。
【請求項９】
請求項８記載のビデオ再生システムであって、
前記コンテンツ代理取得装置の前記コンテンツ転送部は、接続した前記車載ビデオ再生装置に、前記代理取得部が保存しているコンテンツのうちの、前記車載ビデオ再生装置において保存されていないコンテンツのみを転送することを特徴とするビデオ再生システム。
【請求項１０】
請求項８記載のビデオ再生システムであって、
前記車載ビデオ再生装置の前記ダウンロード処理部は、前記リストに登録されている前記ＷＡＮ上のコンテンツのうち、前記再生制御情報によって定義される当該コンテンツの再生のための処理の開始タイミングがより早いものを、より先行してダウンロードすることを特徴とする車載ビデオ再生システム。
【請求項１１】
請求項１０記載のビデオ再生システムであって、
前記車載ビデオ再生装置の前記ダウンロード処理部は、前記リストに登録されている前記ＷＡＮ上のコンテンツであって、前記再生制御情報によって定義される当該コンテンツの再生のための処理の開始タイミングが同じコンテンツについては、コンテンツのサイズがより小さいものを、より先行してダウンロードすることを特徴とする車載ビデオ再生システム。
【請求項１２】
請求項８記載のビデオ再生システムであって、
前記車載ビデオ再生装置の前記ダウンロード処理部は、前記ＷＡＮ接続部が前記ＷＡＮに接続可能な期間に、当該車載ビデオ再生装置に保存されていない前記ＷＡＮ上のコンテンツの、前記再生制御情報によって定義される当該コンテンツの再生のための処理の開始タイミングが到来した場合には、当該再生のための処理の開始タイミングが到来した前記ＷＡＮ上のコンテンツを、再生のための処理の開始タイミングが到来していない他の前記ＷＡＮ上のコンテンツに優先してダウンロードして保存することを特徴とする車載ビデオ再生システム。
【請求項１３】
請求項６記載のビデオ再生システムであって、
前記ビデオディスクは、HD DVD-Video規格に従ってビデオコンテンツを記憶したHD DVD、または、BDMV規格に従ってビデオコンテンツを記憶したBlu-ray Discであることを特徴とするビデオ再生システム。
【請求項１４】
自動車に搭載された車載ビデオ再生装置において、装着されたビデオディスクを再生するビデオ再生方法であって、
前記車載ビデオ再生装置が、前記ビデオディスクの装着時に、当該装着されたビデオディスクに記録された前記再生制御情報に従って前記ビデオディスクの再生時に前記車載ビデオ再生装置において再生されることのある前記ＷＡＮ上のコンテンツを登録したリストを作成するＷＡＮ上コンテンツリスト作成ステップと、
前記車載ビデオ再生装置が、当該車載ビデオ再生装置が前記ビデオディスクを再生中であるか否かに関わらずに、前記ＷＡＮに接続可能な期間に、無線通信を介して当該ＷＡＮに接続して、前記リストに登録されている前記ＷＡＮ上の各コンテンツを、順次ダウンロードして保存する先行ダウンロードステップと、
前記車載ビデオ再生装置が、当該車載ビデオ再生装置が再生中の前記ビデオディスクに記録された再生制御情報に従って、前記ＷＡＮ上のコンテンツを、当該ビデオディスクに記録されたコンテンツと共に再生する再生ステップとを有し、
前記再生ステップにおいて、当該車載ビデオ再生装置が再生中の前記ビデオディスクに記録された再生制御情報に従って再生対象となった前記ＷＡＮ上のコンテンツが既にダウンロードされ保存されている場合には、当該保存されているコンテンツを再生することを特徴とするビデオ再生方法。
【請求項１５】
請求項１４記載のビデオ再生方法であって、
前記先行ダウンロードステップにおいて、前記リストに登録されている前記ＷＡＮ上のコンテンツのうち、前記再生制御情報によって定義される当該コンテンツの再生のための処理の開始タイミングがより早いものを、より先行してダウンロードすることを特徴とするビデオ再生方法。
【請求項１６】
請求項１５記載のビデオ再生方法であって、
前記先行ダウンロードステップにおいて、前記リストに登録されている前記ＷＡＮ上のコンテンツであって、前記再生制御情報によって定義される当該コンテンツの再生のための処理の開始タイミングが同じコンテンツについては、コンテンツのサイズがより小さいものを、より先行してダウンロードすることを特徴とするビデオ再生方法。
【請求項１７】
自動車に搭載され、装着されたビデオディスクを再生するコンピュータによって読みとられ実行されるコンピュータプログラムであって、
当該コンピュータプログラムは、前記コンピュータを、
無線通信を介してＷＡＮに接続するＷＡＮ接続部と、
当該コンピュータが再生中の前記ビデオディスクに記録された再生制御情報に従って、前記ＷＡＮ上のコンテンツを、当該ビデオディスクに記録されたコンテンツと共に再生する再生部として機能させ、かつ、
当該再生部は、
前記ビデオディスクの装着時に、当該装着されたビデオディスクに記録された前記再生制御情報に従って前記ビデオディスクの再生時に前記再生部によって再生されることのある前記ＷＡＮ上のコンテンツを登録したリストを作成するＷＡＮ上コンテンツリスト作成部と、
当該コンピュータが前記ビデオディスクを再生中であるか否かに関わらずに、前記ＷＡＮ接続部が前記ＷＡＮに接続可能な期間に、当該ＷＡＮに接続して、前記リストに登録されている前記ＷＡＮ上の各コンテンツを、順次ダウンロードして保存するダウンロード処理部とを有し、
当該再生部は、当該車載ビデオ再生装置が再生中の前記ビデオディスクに記録された再生制御情報に従って再生対象となった前記ＷＡＮ上のコンテンツが前記ダウンロード処理部によって既にダウンロードされ保存されている場合には、当該保存されているコンテンツを再生することを特徴とするコンピュータプログラム。
【請求項１８】
請求項１７記載のコンピュータプログラムであって、
前記ダウンロード処理部は、前記リストに登録されている前記ＷＡＮ上のコンテンツのうち、前記再生制御情報によって定義される当該コンテンツの再生のための処理の開始タイミングがより早いものを、より先行してダウンロードすることを特徴とするコンピュータプログラム。
【請求項１９】
請求項１８記載のコンピュータプログラムであって、
前記ダウンロード処理部は、前記リストに登録されている前記ＷＡＮ上のコンテンツであって、前記再生制御情報によって定義される当該コンテンツの再生のための処理の開始タイミングが同じコンテンツについては、コンテンツのサイズがより小さいものを、より先行してダウンロードすることを特徴とするコンピュータプログラム。
【請求項２０】
請求項１７記載のコンピュータプログラムであって、
前記ダウンロード処理部は、前記ＷＡＮ接続部が前記ＷＡＮに接続可能な期間に、保存していない前記ＷＡＮ上のコンテンツの、前記再生制御情報によって定義される当該コンテンツの再生のための処理の開始タイミングが到来した場合には、当該再生のための処理の開始タイミングが到来した前記ＷＡＮ上のコンテンツを、再生のための処理の開始タイミングが到来していない他の前記ＷＡＮ上のコンテンツに優先してダウンロードして保存することを特徴とするコンピュータプログラム。
【発明の詳細な説明】
【技術分野】
【０００１】
本発明は、自動車に搭載された、ビデオディスクを再生するビデオ再生装置に関するものである。
【背景技術】
【０００２】
ビデオディスクを再生するビデオ再生装置としては、ビデオディスクに記録された再生制御情報に従って、インターネットなどのＷＡＮ上のコンテンツをダウンロードし、ダウンロードしたコンテンツを、ビデオディスクに記録されているコンテンツと同期して再生するビデオ再生装置が知られている（たとえば、特許文献１）。
【０００３】
また、車載装置において、無線通信を介してコンテンツをダウンロードして再生する技術としては、トンネルなどの無線通信ができなくなる走行区間が前方に検出されたときに、ダウンロード中のコンテンツのダウンロード速度を高速化し、無線通信ができなくなる走行区間において再生するデータを予め可及的に確保する技術が知られている。
【特許文献１】特開2006-073187号公報
【特許文献２】特開2004-193995号公報
【発明の開示】
【発明が解決しようとする課題】
【０００４】
自動車に搭載されたビデオ再生装置において、特許文献１記載の技術のように、ビデオディスクに記録された再生制御情報に従って、インターネットなどのＷＡＮ上のコンテンツをダウンロードし、ダウンロードしたコンテンツを、ビデオディスクに記録されていたコンテンツと同期して再生する場合には次のような問題が生じる。
【０００５】
すなわち、自動車に搭載されたビデオ再生装置は、無線通信を介してＷＡＮに接続することになるため、自動車が無線通信が可能なエリア外に位置するときには、ＷＡＮ上のコンテンツをダウンロードすることができなくなる。
また、この場合に、特許文献２の技術を、コンテンツのダウンロードに適用すれば、再生中のコンテンツについては正常にダウンロードできる確率が高まるが、その他のＷＡＮ上のコンテンツについては、これをダウンロードすることはできない。
そこで、本発明は、ビデオディスクに記録された再生制御情報に従って、インターネットなどのＷＡＮ上のコンテンツをダウンロードし、ダウンロードしたコンテンツを、ビデオディスクに記録されていたコンテンツと同期して再生する車載のビデオ再生装置において、自動車が無線通信を介してＷＡＮに接続可能なエリア外に位置するときにも、できるだけ多くのＷＡＮ上のコンテンツを正常に再生できるようにすることを課題とする。
【課題を解決するための手段】
【０００６】
前記課題達成のために、本発明は、自動車に搭載され、ビデオディスクを再生する車載ビデオ再生装置に、無線通信を介してＷＡＮに接続するＷＡＮ接続部と、前記ビデオディスクに記録された再生制御情報に従って、前記ＷＡＮ上のコンテンツを、当該ビデオディスクに記録されたコンテンツと共に再生する再生部とを設けると共に、前記再生部に、前記ビデオディスクの装着時に、前記ビデオディスクに記録された前記再生制御情報に従って前記ビデオディスクの再生時に前記再生部によって再生されることのある前記ＷＡＮ上のコンテンツを登録したリストを作成するＷＡＮ上コンテンツリスト作成部と、前記ＷＡＮ接続部が前記ＷＡＮに接続可能な期間に、当該ＷＡＮに接続して、前記リストに登録されている前記ＷＡＮ上の各コンテンツを、順次ダウンロードして保存するダウンロード処理部を設けたものである。そして、当該再生部において、前記ビデオディスクに記録された再生制御情報に従って再生対象となった前記ＷＡＮ上のコンテンツが前記ダウンロード処理部によって既にダウンロードされ保存されている場合には、当該保存されているコンテンツを再生するようにしたものである。
【０００７】
このような車載ビデオ再生装置によれば、ＷＡＮに接続可能な期間に、前記リストに基づいて、ビデオディスクの再生時に再生されることのある前記ＷＡＮ上の各コンテンツを当該コンテンツの再生のための処理の開始タイミングによらずに、順次、先行的にダウンロードして保存しておくことができる。よって、車載ビデオ再生装置がＷＡＮに接続できない期間中であっても、先行して保存しておいたコンテンツを用いて、当該保存しておいたコンテンツの各々について、ＷＡＮ上のコンテンツの正常再生を行うことができるようになり、結果、ＷＡＮに接続可能なエリア外に位置するときにも、できるだけ多くのＷＡＮ上のコンテンツを正常に再生できるようになる。
【０００８】
また、前記課題達成のために、本発明は、自動車に搭載され、ビデオディスクを再生する車載ビデオ再生装置と、固定設置された、ＷＡＮに接続可能なコンテンツ代理取得装置とを備えたビデオ再生システムにおいて、前記車載ビデオ再生装置に、近距離無線通信を介して前記コンテンツ代理取得装置に接続する近距離無線通信部と、前記ビデオディスクに記録された再生制御情報に従って、前記ＷＡＮ上のコンテンツを、当該ビデオディスクに記録されたコンテンツと共に再生する再生部とを備えると共に、当該再生部に、前記ビデオディスクの装着時に、前記ビデオディスクに記録された前記再生制御情報に従って前記ビデオディスクの再生時に前記再生部によって再生されることのある前記ＷＡＮ上のコンテンツを登録したリストを作成するＷＡＮ上コンテンツリスト作成部と、前記近距離無線通信部が前記コンテンツ代理取得装置に接続可能な期間に、当該コンテンツ代理取得装置に接続し、前記リストを伴う前記ＷＡＮ上のコンテンツの代理取得要求を前記コンテンツ代理取得装置に送信する代理取得依頼部と、前記近距離無線通信部が前記コンテンツ代理取得装置に接続可能な期間に、当該コンテンツ代理取得装置に接続し、前記コンテンツ代理取得装置から、当該コンテンツ代理取得装置が取得した前記ＷＡＮ上のコンテンツの転送を受けて保存するコンテンツ保存部とを設けたものである。ただし、前記コンテンツ代理取得装置は、接続した前記車載ビデオ再生装置から受信した代理取得要求に伴うリストに登録されている前記ＷＡＮ上のコンテンツを順次ダウンロードして保存する代理取得部と、接続した前記車載ビデオ再生装置に、前記代理取得部が保存しているコンテンツを転送するコンテンツ転送部とを備えたものであり、前記車載ビデオ再生装置の前記再生部は、前記ビデオディスクに記録された再生制御情報に従って再生対象となった前記ＷＡＮ上のコンテンツが前記コンテンツ保存部によって保存されている場合には、当該保存されているコンテンツを再生するものである。
【０００９】
このようなビデオ再生システムによれば、車載ビデオ再生装置は、コンテンツ代理取得装置に、ビデオディスクの再生時に再生されることのある前記ＷＡＮ上の各コンテンツのダウンロードを代行させる形態で、当該ＷＡＮ上のコンテンツを取得して保存し、ＷＡＮ上のコンテンツを再生する際には、保存しておいたコンテンツを用いて当該コンテンツの再生を行う。
【００１０】
ここで、コンテンツ代理取得装置は固定設置される装置であり、したがって、ＷＡＮに常時高速に接続可能な装置とすることができる。よって、当該コンテンツ代理取得装置は、車載ビデオ再生装置よりも確実かつ速やかにＷＡＮ上のコンテンツをダウンロードすることができる。よって、車載ビデオ再生装置において、コンテンツ代理取得装置を利用して前記ＷＡＮ上の各コンテンツを確実に取得することができ、結果、自動車がＷＡＮに接続可能なエリア外に位置するときにも、できるだけ多くのＷＡＮ上のコンテンツを正常に再生できるようになる。
【００１１】
ここで、このようなビデオ再生システムは、前記コンテンツ代理取得装置の前記コンテンツ転送部は、接続した前記車載ビデオ再生装置に、前記代理取得部が保存しているコンテンツを、前記車載ビデオ装置における再生に適した再生レートのコンテンツにレート変換した上で転送するようにしてもよい。
【００１２】
また、このようなビデオ再生システムは、前記車載ビデオ再生装置に、無線通信を介してＷＡＮに接続するＷＡＮ接続部を備えると共に、当該車載ビデオ再生装置の再生部に、前記ＷＡＮ接続部が前記ＷＡＮに接続可能な期間に、当該ＷＡＮに接続して、前記リストに登録されている前記ＷＡＮ上の各コンテンツを、順次ダウンロードして保存するダウンロード処理部を設け、当該再生部において、前記ビデオディスクに記録された再生制御情報に従って再生対象となった前記ＷＡＮ上のコンテンツが前記ダウンロード処理部によって既にダウンロードされ保存されているか、前記コンテンツ保存部によって既に保存されている場合には、当該保存されているコンテンツを再生するようにしてもよい。なお、このようにビデオ再生システムを構成した場合には、前記コンテンツ代理取得装置の前記コンテンツ転送部は、接続した前記車載ビデオ再生装置に、前記代理取得部が保存しているコンテンツのうちの、前記車載ビデオ再生装置において保存されていないコンテンツのみを転送するようにし、車載ビデオ再生装置において既に保存されているコンテンツの転送の発生を抑止することが好ましい。
【００１３】
また、以上の各車載ビデオ再生装置やビデオ再生システムは、前記車載ビデオ再生装置の前記ダウンロード処理部において、前記リストに登録されている前記ＷＡＮ上のコンテンツのうち、前記再生制御情報によって定義される当該コンテンツの再生のための処理の開始タイミングがより早いものを、より優先してダウンロードするようにしてもよい。また、この場合には、当該ダウンロード処理部において、前記リストに登録されている前記ＷＡＮ上のコンテンツであって、前記再生制御情報によって定義される当該コンテンツの再生のための処理の開始タイミングが同じコンテンツについては、コンテンツのサイズがより小さいものを、より優先してダウンロードするようにしてもよい。
【００１４】
これらのようにすることにより、ＷＡＮに接続できない期間中に再生対象となったＷＡＮ上のコンテンツが既に保存されている確率を高め、より多くのＷＡＮ上のコンテンツを正常に再生できるようになる。
また、以上の各車載ビデオ再生装置やビデオ再生システムは、前記車載ビデオ再生装置の前記ダウンロード処理部において、前記ＷＡＮ接続部が前記ＷＡＮに接続可能な期間に、保存していない前記ＷＡＮ上のコンテンツの、前記再生制御情報によって定義される当該コンテンツの再生のための処理の開始タイミングが到来した場合には、当該再生のための処理の開始タイミングが到来した前記ＷＡＮ上のコンテンツを、再生のための処理の開始タイミングが到来していない他の前記ＷＡＮ上のコンテンツに優先してダウンロードして保存するように構成してもよい。
【００１５】
なお、以上のビデオディスクは、たとえば、HD DVD-Video規格に従ってビデオコンテンツを記憶したHD DVDであってもよいし、BDMV規格に従ってビデオコンテンツを記憶したBlu-ray Discであってもよい。
【発明の効果】
【００１６】
以上のように、本発明によれば、ビデオディスクに記録された再生制御情報に従って、インターネットなどのＷＡＮ上のコンテンツをダウンロードし、ダウンロードしたコンテンツを、ビデオディスクに記録されていたコンテンツと同期して再生する車載のビデオ再生装置において、自動車が無線通信を介してＷＡＮに接続可能なエリア外に位置するときにも、できるだけ多くのＷＡＮ上のコンテンツを正常に再生できるようになる。
【発明を実施するための最良の形態】
【００１７】
以下、本発明のビデオ再生装置の実施形態を、ＤＶＤに記録されたビデオコンテンツを再生する車載ＤＶＤプレイヤへの適用を例にとり説明する。
図１に、本実施形態に係る車載ＤＶＤプレイヤの構成を示す。
本実施形態に係る車載ＤＶＤプレイヤは、図示するように、車載ＤＶＤプレイヤ１は、HD DVD-Video規格に従ってビデオコンテンツを記憶したHD DVDやBDMV規格に従ってビデオコンテンツを記憶したBlu-ray DiscなどのＤＶＤ２の記録データを読み出すＤＶＤドライブ１０１、無線通信装置１０２、無線ＬＡＮインタフェース１０３、入力装置１０４、表示装置１０５、スピーカ１０６、コンテンツ再生部１０７、再生制御部１０８、ネットワークファイル取得部１０９、ネットワークファイルテーブル１１０、ネットワークファイル記憶部１１１とを備えている。ただし、車載ＤＶＤプレイヤ１は、ハードウエア的には、マイクロプロセッサや、メモリや、その他の周辺デバイスを有する一般的な構成を備えたコンピュータを用いて構成するようにしてもよい。また、この場合、以上に示した車載ＤＶＤプレイヤ１のコンテンツ再生部１０７や、ネットワークファイル取得部１０９は、マイクロプロセッサが予め用意されたプログラムを実行することにより具現化するプロセスとして実現されるものであって良い。
【００１８】
ここで、車載ＤＶＤプレイヤ１は、図２に示すように自動車に搭載された装置である。
また、無線通信装置１０２は、図２ｂ、ｃに示すように、車載ＤＶＤプレイヤ１が搭載された自動車が、インターネットなどのＷＡＮ３との間の通信の中継を行う無線基地局３１の通信エリア３２内に位置するときに、無線通信によって無線基地局３１に接続すると共に、無線基地局３１を介してＷＡＮ３と接続する。
【００１９】
そして、ＷＡＮ３上には、ＤＶＤ再生時に併せて再生されるべきコンテンツを格納したファイルを車載ＤＶＤプレイヤ１に提供するネットワークサーバ５が配置されている。ここで、以下では、このネットワークサーバ５から車載ＤＶＤプレイヤ１に提供されるファイルを「ネットワークファイル」と呼ぶこととする。
【００２０】
また、無線ＬＡＮインタフェース１０３は、図２ａに示すように車載ＤＶＤプレイヤ１が搭載された自動車が自宅近傍に位置するときに、自宅に設置された無線ＬＡＮ４に近距離無線通信を介して接続する。そして、無線ＬＡＮ４には、ＷＡＮ３と、ユーザが自宅で使用するパーソナルコンピュータ６とが接続されており、パーソナルコンピュータ６は無線ＬＡＮ４を介してＷＡＮ３に接続することができる。ここで、パーソナルコンピュータ６は、マイクロプロセッサや、メモリや、その他の周辺デバイスを有する一般的な構成を備えたコンピュータであり、マイクロプロセッサのプログラムの実行によって、図１に示すように、無線ＬＡＮ４に接続するための無線ＬＡＮインターフェース６１と、ＨＤＤ６２と、ネットワークファイル取得代行部６３を備えた機能構成がパーソナルコンピュータ６上に実現される。
【００２１】
次に、車載ＤＶＤプレイヤ１において、再生制御部１０８は、ＤＶＤドライブ１０１を介してＤＶＤ２から読み出した再生制御情報と入力装置１０４のユーザ操作に従って、ＤＶＤ２に記録されているコンテンツとＷＡＮ３上のネットワークファイルに格納されたコンテンツの再生を制御する。すなわち、再生制御部１０８は、ＤＶＤドライブ１０１を介してＤＶＤ２から読み出した再生制御情報と入力装置１０４のユーザ操作に従って、コンテンツの再生シーケンスを定め、定めた再生シーケンスに従った、ＤＶＤ２に記録されているコンテンツの、コンテンツ再生部１０７における再生を制御する。また、再生制御部１０８は、定めた再生シーケンスに従って、再生対象となったＷＡＮ３上のネットワークファイルの提供をネットワークファイル取得部１０９に発行し、当該提供要求に応えてネットワークファイル部から提供されたネットワークファイルに格納されているコンテンツの、コンテンツ再生部１０７における、ＤＶＤ２に記録されているコンテンツと同期した再生を制御する。
【００２２】
そして、コンテンツ再生部１０７は、再生制御部１０８の制御に従って、ＤＶＤ２に記録されているコンテンツやネットワークファイルに格納されているコンテンツを再生し、コンテンツに含まれるビデオや静止画などのビジュアルなオブジェクトを表示装置１０５に表示し、コンテンツに含まれる音声をスピーカ１０６に出力する。
【００２３】
次に、ネットワークファイル記憶部１１１には、ネットワークサーバ５からダウンロードしたネットワークファイルが格納される。
また、ネットワークファイル管理テーブルには、図３に示すように、車載ＤＶＤプレイヤ１に装着されたことのあるＤＶＤ毎に対応して設けたネットワークファイル管理レコードが登録される。そして、各ネットワークファイル管理レコードには、対応するＤＶＤ２の識別子となるディスク識別子と、代理取得依頼済フラグと、ネットワークファイル管理リストが格納される。
【００２４】
そして、ネットワークファイル管理リストは、対応するＤＶＤ２の再生制御情報に定義されている、車載ＤＶＤプレイヤ１で、対応するＤＶＤ２を再生する際に、利用する可能性のあるネットワークファイル毎に対応して設けたエントリを有し、各エントリには、対応するネットワークファイルのＷＡＮ３上のロケーションを表すネットワークファイルＵＲＬ、再生制御情報によって対応するネットワークファイルのダウンロード開始指定時刻が規定されている場合に、当該ダウンロード開始指定時刻を表す取得定義時刻、対応するネットワークファイルのダウンロードが済んでいるかどうかを表す取得済フラグ、対応するネットワークファイルがダウンロード済である場合に、ネットワークファイル記憶部１１１に記録されている当該ダウンロードしたネットワークファイルへの示すファイルパスとが登録される。
【００２５】
さて、このような車載ＤＶＤプレイヤ１において、ネットワークファイル取得部１０９は、ネットワークファイルのＷＡＮ３上からの取得と、再生制御部１０８から提供を要求されたネットワークファイルの提供のために、ネットワークファイル管理レコード作成処理、ネットワークファイル先行取得処理、ネットワークファイル提供処理、ネットワークファイル代理取得制御処理とを実行する。
【００２６】
以下、これらの処理について説明する。
まず、ネットワークファイル管理レコード作成処理について説明する。
図４ａに、このネットワークファイル管理レコード作成処理の手順を示す。
図示するように、この処理では、ＤＶＤドライブ１０１への新たなＤＶＤ２の装着の発生を監視し（ステップ４０２）、新たなＤＶＤ２の装着が発生したならば、ＤＶＤドライブ１０１を介してＤＶＤ２の識別子を読み出し、読み出した識別子がディスク識別子として登録されたネットワークファイル管理レコードが既にネットワークファイルテーブル１１０に登録されているかどうかを調べ（ステップ４０４）、登録されている場合にはステップ４０２の監視に戻り、登録されていない場合には、装着されたＤＶＤ２に対応するネットワークファイル管理テーブルを新たに作成し、ネットワークファイルテーブル１１０に登録する（ステップ４０６）。ここで、このネットワークファイル管理テーブルの作成にあたっては、作成したネットワークファイル管理テーブルのディスク識別子には装着されたＤＶＤ２の識別子を登録し、代理取得依頼済フラグには未依頼を登録する。また、ネットワークファイル管理リストに、ＤＶＤドライブ１０１を介して読み出した装着されたＤＶＤ２の再生制御情報によって定義されている、装着されたＤＶＤ２を再生する際に利用する可能性のあるネットワークファイル毎に対応するエントリを設ける。そして、各エントリのネットワークファイルＵＲＬに、再生制御情報に記述されている対応するネットワークファイルのＷＡＮ３上のロケーションを登録し、取得定義時刻に再生制御情報に定義されている対応するネットワークファイルのダウンロード開始指定時刻を登録する。また、各エントリの取得済フラグには未取得を登録する。
【００２７】
以上、ネットワークファイル管理レコード作成処理について説明した。
次に、ネットワークファイル先行取得処理について説明する。
図４ｂに、このネットワークファイル先行取得処理の手順を示す。
図示するように、この処理では、まず、現在、無線通信装置１０２を介してＷＡＮ３に接続可能であるかどうかを調べ（ステップ４１２）、接続可能でなければ接続可能となるのを待つ。
一方、ＷＡＮ３に接続可能であるか、接続可能な状態となったならば、ネットワークファイル管理テーブルのいずれかのネットワークファイル管理レコードのネットワークファイル管理リストに、取得済フラグに未取得が登録されているエントリが存在するかどうかを調べ（ステップ４１４）、存在しない場合には、ステップ４１２に戻る。
【００２８】
一方、そのようなエントリが存在する場合には、存在したエントリのうちで最も優先順位が高いネットワークファイルのエントリに登録されているネットワークファイルＵＲＬに含まれるサーバネームによって示されるネットワークサーバ５に、無線通信装置１０２、ＷＡＮ３を介してアクセスして、当該ネットワークサーバ５から、当該ネットワークファイルＵＲＬで特定されるネットワークファイルをダウンロードしてネットワークファイル記憶部１１１に記憶する。また、ダウンロードしたネットワークファイルのエントリのファイルパスに、当該ネットワークファイルを記憶したネットワークファイル記憶部１１１上のロケーションのパスを登録すると共に、当該エントリの取得済フラグを取得済に設定する（ステップ４１６）。そして、ステップ４１２に戻る。
【００２９】
ここで、ネットワークファイルの優先順位は、次の規則によって定める。
すなわち、現在再生中のＤＶＤ２のネットワークファイル管理レコードのネットワークファイル管理リストに登録されているネットワークファイルの優先順位を、他のＤＶＤ２のネットワークファイル管理レコードのネットワークファイル管理リストに登録されているネットワークファイルの優先順位よりも高くする。
【００３０】
また、現在装着中のＤＶＤ２のネットワークファイル管理レコードのネットワークファイル管理リストに登録されているネットワークファイルの優先順位を、現在装着されていない他のＤＶＤ２のネットワークファイル管理レコードのネットワークファイル管理リストに登録されているネットワークファイルの優先順位よりも高くする。
【００３１】
また、同じＤＶＤ２のネットワークファイル管理レコードのネットワークファイル管理リストに登録されているネットワークファイル間の優先順位は、登録されている取得定義時刻が早いものほど（より先に再生されるものほど）高くなるように設定する。また、取得定義時刻が定義されているネットワークファイルの優先順位は、取得定義時刻が定義されていないネットワークファイルの優先順位よりも高くする。
【００３２】
また、同じＤＶＤ２のネットワークファイル管理レコードのネットワークファイル管理リストに登録されている、取得定義時刻が同じネットワークファイル間の優先順位は、よりデータサイズが小さいものほど高くする。
以上、ネットワークファイル先行取得処理について説明した。
次に、ネットワークファイル提供処理について説明する。
図４ｃに、このネットワークファイル提供処理の手順を示す。
図示するように、この処理では、再生制御部１０８からの、ネットワークファイルのＵＲＬを指定したネットワークファイルの提供要求の発生を監視し（ステップ４２２）、ネットワークファイルの提供要求が発生したならば提供を要求されたネットワークファイルが既にダウンロード済みであるかどうかを再生中のＤＶＤ２のネットワークファイル管理レコードのネットワークファイル管理リストの、提供要求で指定されたＵＲＬがネットワークファイルＵＲＬとして登録されたエントリの取得済フラグを参照して調べる（ステップ４２４）。
【００３３】
そして、ダウンロード済みであれば、当該エントリのファイルパスが示すネットワークファイル記憶部１１１のロケーションから、ダウンロードしておいたネットワークファイルを読み出してコンテンツ再生部１０７に出力する（ステップ４３２）。そして、ステップ４２２の監視に戻る。
【００３４】
一方、提供を要求されたネットワークファイルが既にダウンロード済みでなければ（ステップ４２４）、現在、無線通信装置１０２を介してＷＡＮ３に接続可能であるかどうかを調べ（ステップ４２６）、接続可能でなければ、再生制御部１０８に提供不可を通知し（ステップ４２８）、ステップ４２２の監視に戻る。
【００３５】
ここで、ネットワークファイルの提供不可を通知された再生制御部１０８は、提供不可を通知されたネットワークファイルのコンテンツを再生の対象から除外した形態でコンテンツ再生部１０７の再生を制御する。
さて、ステップ４２６において、ＷＡＮ３に接続可能であると判定された場合には、指定されたＵＲＬに含まれるサーバネームによって指定されるネットワークサーバ５に、無線通信装置１０２、ＷＡＮ３を介してアクセスして、当該ネットワークサーバ５から、当該ＵＲＬによって特定されるネットワークファイルをダウンロードしてネットワークファイル記憶部１１１に記憶する。また、再生中のＤＶＤ２のネットワークファイル管理レコードのネットワークファイル管理リストの、指定されたＵＲＬがネットワークファイルＵＲＬとして登録されているネットワークファイルのエントリのファイルパスに、当該ネットワークファイルを記憶したネットワークファイル記憶部１１１上のロケーションのパスを登録すると共に、当該エントリの取得済フラグを取得済に設定する（ステップ４３０）。
【００３６】
そして、ダウンロードしてネットワークファイル記憶部１１１に記憶したネットワークファイルを読み出してコンテンツ再生部１０７に出力し（ステップ４３２）、ステップ４２２の監視に戻る。
以上、ネットワークファイル提供処理について説明した。
なお、ネットワークファイル取得部１０９は、以上のネットワークファイル先行取得処理のステップ４１６のネットワークファイルのダウンロードと、ネットワークファイル提供処理のステップ４３０のネットワークファイルのダウンロードが重複して発生した場合には、ネットワークファイル提供処理のステップ４３０のネットワークファイルのダウンロードを優先して行われるよう両処理を調整する処理も行う。
【００３７】
次に、ネットワークファイル代理取得制御処理について説明する。
図５に、ネットワークファイル代行取得制御処理の手順を示す。
図示するように、この処理では、無線ＬＡＮインタフェース１０３、無線ＬＡＮ４を介して自宅のパーソナルコンピュータ６と接続可能であるかどうかを調べ（ステップ５０２）、接続可能であれば、ネットワークファイルテーブル１１０に、依頼済フラグが未依頼に設定され、かつ、取得済フラグが未取得に設定されているエントリがネットワークファイル管理リストに登録されているネットワークファイル管理レコードが存在するかどうかを調べ（ステップ５０４）、存在しない場合にはステップ５０６に進む。
【００３８】
一方、そのようなネットワークファイル管理レコードが存在する場合には（ステップ５０４）、存在したネットワークファイル管理レコードのコピーを代理取得ファイル管理レコードとして含めた代理取得要求を無線ＬＡＮインタフェース１０３、無線ＬＡＮ４を介してパーソナルコンピュータ６に送信し、存在したファイル管理レコードの依頼済フラグを依頼済に設定する（ステップ５１６）。そして、ステップ５０６に進む。
【００３９】
次に、ステップ５０６では、代理取得ファイルリストの送信要求を無線ＬＡＮインタフェース１０３、無線ＬＡＮ４を介してパーソナルコンピュータ６に送信する。そして、ネットワーク転送要求に応答してパーソナルコンピュータ６から送信される代理取得ファイルリストを受信したならば（ステップ５０８）、受信した代理取得ファイルリストに登録されているネットワークファイルのうちの、未取得のネットワークファイルを選定し、選定したネットワークファイルの転送要求をパーソナルコンピュータ６に要求する（ステップ５１０）。ここで、パーソナルコンピュータ６から送信される代理取得ファイルリストは、ディスク識別子とネットワークファイルＵＲＬの組み合わせを個々のネットワークファイルのファイル識別子として作成された、ネットワークファイルのファイル識別子の一覧である。そして、ステップ５１０では、代理取得ファイルリストに登録されている各ネットワークファイルのファイル識別子について、当該ファイル識別子に含まれるディスク識別子が登録されているネットワークファイル管理レコードのネットワークファイル管理リストの、当該ファイル識別子に含まれるネットワークファイルＵＲＬが登録されているエントリの取得済フラグが未取得に設定されている場合に、当該ファイル識別子のネットワークファイルが未取得のネットワークファイルであるとして、当該ネットワークファイルのファイル識別子を含むネットワークファイルの転送要求をパーソナルコンピュータ６に要求する。
【００４０】
そして、当該ネットワークファイルの転送要求の応答としてパーソナルコンピュータ６からファイル識別子との対応を識別可能に転送されたネットワークファイルをネットワークファイル記憶部１１１に記憶し、転送されたネットワークファイルのファイル識別子が登録されているネットワークファイル管理レコードの、ネットワークファイル管理リストの、当該ファイル識別子に含まれるネットワークファイルＵＲＬが登録されているエントリのファイルパスに、当該ネットワークファイルを記憶したネットワークファイル記憶部１１１上のロケーションのパスを登録すると共に、当該エントリの取得済フラグを取得済に設定する（ステップ５１２）。
【００４１】
そして、所定時間待って（ステップ５１４）、ステップ５０２からの処理に戻る。
以上、ネットワーク代理取得制御処理について説明した。
次に、ユーザの自宅に設置されたパーソナルコンピュータ６のネットワークファイル取得代行部６３が行う。ネットワークファイル代理取得処理について説明する。
図６に、このネットワークファイル代理取得処理の手順を示す。
図示するように、この処理では、無線ＬＡＮ４を介して車載ＤＶＤビデオプレイヤから代理取得要求を受け取ったならば（ステップ６０２）、代理取得要求と共に受け取った代理取得ファイル管理レコードをＨＤＤ６２に保存する（ステップ６０８）。
また、この処理では、保存しているいずれかの代理取得ファイル管理レコードのネットワークファイル管理リストに、取得済フラグに未取得が登録されているエントリが存在する場合には（ステップ６０４）、存在したエントリのうちで最も優先順位が高いネットワークファイルのエントリに登録されているネットワークファイルＵＲＬに含まれるサーバネームが示すネットワークサーバ５に、無線ＬＡＮ４、ＷＡＮ３を介してアクセスして、当該ネットワークサーバ５から、当該ネットワークファイルＵＲＬが特定するネットワークファイルをダウンロードしてＨＤＤ６２に記憶し、ダウンロードしたネットワークファイルのエントリのファイルパスに、当該ネットワークファイルを記憶したＨＤＤ６２上のロケーションのパスを登録すると共に、当該代理取得ファイル管理レコードのエントリの取得済フラグを代理取得済に設定する（ステップ６１０）。
【００４２】
また、この処理では、無線ＬＡＮ４を介して車載ＤＶＤビデオプレイヤから代理取得ファイルリストの送信要求を受け取ったならば（ステップ６０６）、各代理取得ファイル管理レコードのネットワークファイル管理リストの取得済フラグに代理取得済が登録されているエントリの各々について、当該エントリが属する代理取得ファイル管理レコードのディスク識別子と、当該エントリに登録されているネットワークファイルＵＲＬとを組み合わせたファイル識別子を生成すると共に、生成した各ファイル識別子を含めた代理取得ファイルリストを作成し車載ＤＶＤプレイヤ１に送信する（ステップ６１２）。そして、その後、無線ＬＡＮ４を介して車載ＤＶＤビデオプレイヤからネットワークファイルの転送要求を受信したならば（ステップ６１４）、当該要求に含まれる各ファイル識別子について、当該ファイル識別子に含まれるディスク識別子が登録されている代理取得ファイル管理レコードの、ネットワークファイル管理リストの、当該ファイル識別子に含まれるネットワークファイルＵＲＬが登録されているエントリのファイルパスによって示されるＨＤＤ６２のロケーションからネットワークファイルを読み出して、車載ＤＶＤプレイヤ１に、各ネットワークファイルのファイル識別子を識別可能な形態で転送し、先に送信した取得ファイルリストに含めた全てのファイル識別子に対応する各代理取得ファイル管理レコードのネットワークファイル管理リストのエントリの取得済フラグを取得済に設定する（ステップ６１６）。なお、ステップ６１６においてネットワークファイルを車載ＤＶＤプレイヤ１に送信する際に、ネットワークファイルが高画質ビデオデータである場合などには、当該ビデオデータを車載ＤＶＤプレイヤ１の再生に適した画質のビデオデータにレート変換した上で、車載ＤＶＤプレイヤ１に転送するようにすることも好ましい。
【００４３】
以上、パーソナルコンピュータ６のネットワークファイル取得代行部６３が行うネットワークファイル代理取得処理について説明した。
以下、このような車載ＤＶＤプレイヤ１の動作例について示す。
いま、図２ａに示すように、自宅駐車場などの、車載ＤＶＤプレイヤ１が自宅の無線ＬＡＮ４に接続可能な位置に駐車している状態で、自動車に搭載したユーザが、車載ＤＶＤプレイヤ１にＤＶＤ２を装着すると、車載ＤＶＤプレイヤ１において、ネットワークファイル管理レコード作成処理によって、当該ＤＶＤ２の再生時に利用されるネットワークファイルを登録したネットワークファイル管理レコードが作成されると共に、ネットワークファイル代理取得制御処理によって、当該ネットワークファイル管理レコードのコピーが代理取得ファイル管理レコードとして無線ＬＡＮ４を介してパーソナルコンピュータ６に送られる。そして、代理取得ファイル管理レコードが、パーソナルコンピュータ６において、ネットワークファイル代理取得処理によって保存される。
【００４４】
そして、その後、自動車が図２ｂ、ｃ、ｄのように移動すると、図２ｂ、ｃの無線基地局３１を介してＷＡＮ３に接続可能な期間には、車載ＤＶＤプレイヤ１において、ネットワークファイル先行取得処理によって、ＤＶＤ２の再生の有無やネットワークファイルのダウンロード開始定義時間に関わらず、ネットワークファイル管理レコードに登録された各ネットワークファイルが、順次、ネットワークサーバ５からダウンロードして記憶される。また、ネットワークファイル提供処理によって、再生対象となったネットワークファイルがコンテンツ再生部１０７に提供され再生される。ここで、ネットワークファイル提供処理は、再生対象となったネットワークファイルが既にダウンロードされ記憶されている場合には、当該記憶されているネットワークファイルをコンテンツ再生部１０７に提供し、再生対象となったネットワークファイルがダウンロードされていない場合には、ネットワークサーバ５からダウンロードした上で、コンテンツ再生部１０７に提供する。
【００４５】
その後、自動車が、図３ｄの、ＷＡＮ３に接続できない地域に進むと、当該地域を走行中、新たなネットワークファイルが再生対象となると、ネットワークファイル提供処理によって、当該ネットワークファイルが、当該ネットワークファイルが既にダウンロードされ記憶されているかどうかが判定され、記憶されている場合には、当該記憶されているネットワークファイルがコンテンツ再生部１０７に提供されて再生される。
【００４６】
一方、この自動車が外出している間に、自宅のパーソナルコンピュータ６では、ネットワークファイル代理取得処理によって、車載ＤＶＤプレイヤ１から受け取った代理取得ファイル管理レコードに登録されている各ネットワークファイルが無線ＬＡＮ４、ＷＡＮ３を介してネットワークサーバ５からダウンロードされ保存される。
【００４７】
そして、自動車が図２ａに示すように自宅駐車場に帰着し、車載ＤＶＤプレイヤ１が無線ＬＡＮ４と接続可能となると、車載ＤＶＤプレイヤ１のネットワークファイル代理取得制御処理と、パーソナルコンピュータ６のネットワークファイル代理取得処理によって、パーソナルコンピュータ６のネットワークファイル代理取得処理がネットワークサーバ５からダウンロードしておいたネットワークファイルのうち、車載ＤＶＤプレイヤ１に記憶されていないネットワークファイルが、パーソナルコンピュータ６から車載ＤＶＤプレイヤ１に転送され、車載ＤＶＤプレイヤ１に記憶される。そして、記憶されたネットワークファイルが、以降のＤＶＤ２の再生時に利用されることになる。
【００４８】
以上、本発明の実施形態について説明した。
このように本実施形態によれば、車載ＤＶＤプレイヤ１において、ＷＡＮ３に接続可能な期間に、ビデオディスクの再生時に再生されることのある前記ＷＡＮ３上の各ネットワークファイルを当該コンテンツの再生や、そのための処理の開始タイミングによらずに、順次、先行的にネットワークサーバ５からダウンロードして保存しておくことができる。よって、車載ＤＶＤプレイヤ１がＷＡＮ３に接続できない期間中であっても、先行して保存しておいたネットワークファイルを用いて、当該保存しておいたネットワークファイルの各々について、その正常再生を行うことができるようになり、結果、ＷＡＮ３に接続可能なエリア外に位置するときにも、できるだけ多くのＷＡＮ３上のコンテンツを正常に再生できるようになる。
【００４９】
また、本実施形態によれば、車載ＤＶＤプレイヤ１は、自宅のパーソナルコンピュータ６に、ビデオディスクの再生時に再生されることのあるＷＡＮ３上の各ネットワークファイルのダウンロードをオフラインで代行させる形態で、当該ＷＡＮ３上のネットワークファイルを取得して保存し、ＷＡＮ３上のネットワークファイルを再生する際には、保存しておいたネットワークファイルを用いて当該ネットワークファイルの再生を行うことができる。
【００５０】
そして、パーソナルコンピュータ６は固定設置される装置であり、したがって、ＷＡＮ３に常時高速に接続可能な装置とすることができる。よって、当該パーソナルコンピュータ６は、車載ＤＶＤプレイヤ１よりも確実かつ速やかにＷＡＮ３上のネットワークファイルをダウンロードすることができる。よって、車載ＤＶＤプレイヤ１において、パーソナルコンピュータ６を利用して前記ＷＡＮ上の各ネットワークファイルを確実に取得することができ、結果、自動車がＷＡＮに接続可能なエリア外に位置するときにも、できるだけ多くのＷＡＮ上のコンテンツを正常に再生できるようになる。
【図面の簡単な説明】
【００５１】
【図１】本発明の実施形態に係る車載ＤＶＤプレイヤの構成を示すブロック図である。
【図２】本発明の実施形態に係る車載ＤＶＤプレイヤの動作例を示す図である。
【図３】本発明の実施形態に係るネットワークファイルテーブルを示す図である。
【図４】本発明の実施形態に係る車載ＤＶＤプレイヤが行うネットワークファイル作成処理、ネットワークファイル先行取得処理、ネットワークファイル提供処理を示すフローチャートである。
【図５】本発明の実施形態に係る車載ＤＶＤプレイヤが行うネットワークファイル代理取得制御処理を示すフローチャートである。
【図６】本発明の実施形態に係るパーソナルコンピュータが行うネットワークファイル代理取得処理を示すフローチャートである。
【符号の説明】
【００５２】
１…車載ＤＶＤプレイヤ、２…ＤＶＤ、３…ＷＡＮ、４…無線ＬＡＮ、５…ネットワークサーバ、６…パーソナルコンピュータ、３１…無線基地局、６２…ＨＤＤ、６３…ネットワークファイル取得代行部、１０１…ＤＶＤドライブ、１０２…無線通信装置、１０３…無線ＬＡＮインタフェース、１０４…入力装置、１０５…表示装置、１０６…スピーカ、１０７…コンテンツ再生部、１０８…再生制御部、１０９…ネットワークファイル取得部、１１０…ネットワークファイルテーブル、１１１…ネットワークファイル記憶部。
【図１】
0005314915.tif 000002
【図２】
0005314915.tif 000003
【図３】
0005314915.tif 000004
【図４】
0005314915.tif 000005
【図５】
0005314915.tif 000006
【図６】
0005314915.tif 000007